(57)【要約】【課題】移動局ＵＥの測位処理中に、移動局ＵＥの無線基地局ｅＮｏｄｅＢを跨るハンドオーバが行われた場合の不具合を解消する。【解決手段】本発明に係る移動管理用ノードＭＭＥは、無線基地局ｅＮｏｄｅＢに対して、測位演算用ノードＥ-ＳＭＬＣから受信したＬＰＰ信号及びＥ-ＳＭＬＣの識別情報を含む転送信号「Ｓ１-ＡＰ  Ｄｏｗｎｌｉｎｋ  ＮＡＳ  Ｔｒａｎｓｐｏｒｔ」を送信し、無線基地局ｅＮｏｄｅＢから受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由が測位失敗を示す場合、かかる送信失敗通知信号に含まれるＥ-ＳＭＬＣの識別情報によって特定される測位演算用ノードＥ-ＳＭＬＣに対して、かかる送信失敗通知信号「Ｓ１-ＡＰ  ＮＯＮ  ＤＥＬＩＶＥＲＹ  ＩＮＤＩＣＡＴＩＯＮ」に含まれる送信失敗理由及びＬＰＰ信号を送信する。【選択図】図４
2011082838.tif 000002
【特許請求の範囲】
【請求項１】
測位演算用ノードが、移動管理用ノードに対して、測位信号を送信する工程と、
前記移動管理用ノードが、無線基地局に対して、前記測位信号及び前記測位演算用ノードの識別情報を含む転送信号を送信する工程と、
前記無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、
前記移動管理用ノードが、受信した前記送信失敗通知信号に含まれる前記送信失敗理由が測位失敗を示す場合、該送信失敗通知信号に含まれる前記測位演算用ノードの識別情報によって特定される前記測位演算用ノードに対して、該送信失敗理由及び該送信失敗通知信号に含まれる前記測位信号を送信する工程とを有することを特徴とする移動通信方法。
【請求項２】
無線基地局に対して、測位演算用ノードから受信した測位信号及び該測位演算用ノードの識別情報を含む転送信号を送信するように構成されており、
前記無線基地局から受信した送信失敗通知信号に含まれる送信失敗理由が測位失敗を示す場合、該送信失敗通知信号に含まれる前記測位演算用ノードの識別情報によって特定される前記測位演算用ノードに対して、該送信失敗理由及び該送信失敗通知信号に含まれる前記測位信号を送信するように構成されていることを特徴とする移動管理用ノード。
【請求項３】
測位演算用ノードが、移動管理用ノードに対して、測位信号を送信する工程と、
前記移動管理用ノードが、第１無線基地局に対して、前記測位信号及び前記測位演算用ノードの識別情報を含む転送信号を送信する工程と、
前記第１無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、
前記移動管理用ノードが、受信した前記送信失敗通知信号に含まれる前記送信失敗理由がハンドオーバ実施中を示す場合、所定タイマーを起動する工程と、
前記移動管理用ノードが、前記所定タイマーの満了前に、第２無線基地局からハンドオーバ先セルの識別情報を含む所定信号を受信した場合、前記送信失敗通知信号に含まれる前記測位演算用ノードの識別情報によって特定される前記測位演算用ノードに対して、該ハンドオーバ先セルの識別情報と該送信失敗通知信号に含まれる前記送信失敗理由及び前記測位信号とを送信する工程とを有することを特徴とする移動通信方法。
【請求項４】
第１無線基地局に対して、測位演算用ノードから受信した測位信号及び該測位演算用ノードの識別情報を含む転送信号を送信するように構成されており、
前記第１無線基地局から受信した送信失敗通知信号に含まれる送信失敗理由がハンドオーバ実施中を示す場合、所定タイマーを起動するように構成されており、
前記所定タイマーの満了前に、第２無線基地局からハンドオーバ先セルの識別情報を含む所定信号を受信した場合、前記送信失敗通知信号に含まれる前記測位演算用ノードの識別情報によって特定される前記測位演算用ノードに対して、該ハンドオーバ先セルの識別情報と該送信失敗通知信号に含まれる前記送信失敗理由及び前記測位信号とを送信するように構成されていることを特徴とする移動管理用ノード。
【請求項５】
測位演算用ノードが、移動管理用ノードに対して、測位信号を送信する工程と、
前記移動管理用ノードが、第１無線基地局に対して、前記測位信号及び前記測位演算用ノードの識別情報を含む転送信号を送信する工程と、
前記第１無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、
前記移動管理用ノードが、受信した前記送信失敗通知信号に含まれる前記送信失敗理由がハンドオーバ実施中を示す場合、所定タイマーを起動する工程と、
前記移動管理用ノードが、第２無線基地局からハンドオーバ先セルの識別情報を含む所定信号を受信する前に、前記所定タイマーが満了した場合、前記送信失敗通知信号に含まれる前記測位演算用ノードの識別情報によって特定される前記測位演算用ノードに対して、該送信失敗理由及び該送信失敗通知信号に含まれる前記測位信号を送信する工程と、
前記移動管理用ノードが、前記所定タイマーの満了後に、前記第２無線基地局からハンドオーバ先セルの識別情報を含む所定信号を受信した場合、該ハンドオーバセルの識別情報を前記測位演算用ノードに対して通知することなく、保持しているセルの識別情報を更新し、その旨を示す情報を記憶する工程とを有することを特徴とする移動通信方法。
【請求項６】
第１無線基地局に対して、測位演算用ノードから受信した測位信号及び該測位演算用ノードの識別情報を含む転送信号を送信するように構成されており、
前記第１無線基地局から受信した送信失敗通知信号に含まれる送信失敗理由がハンドオーバ実施中を示す場合、所定タイマーを起動するように構成されており、
第２無線基地局からハンドオーバ先セルの識別情報を含む所定信号を受信する前に、前記所定タイマーが満了した場合、前記送信失敗通知信号に含まれる前記測位演算用ノードの識別情報によって特定される前記測位演算用ノードに対して、該送信失敗理由及び該送信失敗通知信号に含まれる前記測位信号を送信するように構成されており、
前記所定タイマーの満了後に、前記第２無線基地局からハンドオーバ先セルの識別情報を含む所定信号を受信した場合、該ハンドオーバセルの識別情報を前記測位演算用ノードに対して通知することなく、保持しているセルの識別情報を更新し、その旨を示す情報を記憶するように構成されていることを特徴とする移動管理用ノード。
【請求項７】
測位演算用ノードが、移動管理用ノードに対して、測位信号を送信する工程と、
前記移動管理用ノードが、第１無線基地局に対して、前記測位信号及び前記測位演算用ノードの識別情報を含む転送信号を送信する工程と、
前記第１無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、
前記移動管理用ノードが、受信した前記送信失敗通知信号に含まれる前記送信失敗理由がハンドオーバ実施中を示す場合、該送信失敗通知信号に含まれる前記測位演算用ノードの識別情報によって特定される前記測位演算用ノードに対して、該送信失敗理由及び該送信失敗通知信号に含まれる前記測位信号を送信する工程と、
前記測位演算用ノードが、前記移動管理用ノードから前記送信失敗理由及び前記測位信号を受信した場合に、所定タイマーを起動する工程と、
前記測位演算用ノードが、前記所定タイマーの満了前に、第２無線基地局から前記移動管理用ノード経由でハンドオーバ先セルの識別情報を受信した場合、該移動管理用ノードに対して、該ハンドオーバ先セルの識別情報に対応する測位信号を送信する工程とを有することを特徴とする移動通信方法。
【請求項８】
移動管理用ノードに対して、測位信号を送信するように構成されており、
前記第１無線基地局が移動局に対する前記測位信号の送信に失敗した場合に前記移動管理用ノードに対して送信する送信失敗通知信号に含まれる送信失敗理由及び該測位信号を、該移動管理用ノードから受信した場合に、所定タイマーを起動するように構成されており、
前記所定タイマーの満了前に、第２無線基地局から前記移動管理用ノード経由でハンドオーバ先セルの識別情報を受信した場合、該移動管理用ノードに対して、該ハンドオーバ先セルの識別情報に対応する測位信号を送信するように構成されていることを特徴とする測位演算用ノード。
【請求項９】
測位演算用ノードが、移動管理用ノードに対して、測位信号を送信する工程と、
前記移動管理用ノードが、第１無線基地局に対して、前記測位信号及び前記測位演算用ノードの識別情報を含む転送信号を送信する工程と、
前記第１無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、
前記移動管理用ノードが、受信した前記送信失敗通知信号に含まれる前記送信失敗理由がハンドオーバ実施中を示す場合、該送信失敗通知信号に含まれる前記測位演算用ノードの識別情報によって特定される前記測位演算用ノードに対して、該送信失敗理由及び該送信失敗通知信号に含まれる前記測位信号を送信する工程と、
前記測位演算用ノードが、前記移動管理用ノードから前記送信失敗理由及び前記測位信号を受信した場合に、前記移動局に対して、ハンドオーバ先のセルの識別情報の通知を要求する通知要求を送信する工程とを有することを特徴とする移動通信方法。
【請求項１０】
移動管理用ノードに対して、測位信号を送信するように構成されており、
前記第１無線基地局が移動局に対する前記測位信号の送信に失敗した場合に前記移動管理用ノードに対して送信する送信失敗通知信号に含まれる送信失敗理由及び該測位信号を、該移動管理用ノードから受信した場合に、前記移動局に対して、ハンドオーバ先のセルの識別情報の通知を要求する通知要求を送信するように構成されていることを特徴とする測位演算用ノード。
【請求項１１】
第１無線基地局配下の第１セルから第２無線基地局配下の第２セルへのハンドオーバを検知した場合で、かつ、測位演算用ノードからハンドオーバ先のセルの識別情報の通知を要求する通知要求を受信した場合に、該測位演算用ノードに対して、第２セルの識別情報を通知するように構成されていることを特徴とする移動局。
【発明の詳細な説明】
【技術分野】
【０００１】
本発明は、移動通信方法、移動管理用ノード、測位演算用ノード及び移動局に関する。
【背景技術】
【０００２】
ＬＴＥ（Ｌｏｎｇ  Ｔｅｒｍ  Ｅｖｏｌｕｔｉｏｎ）方式の移動通信システムは、  ３ＧＰＰで規定されている移動通信システムは、図８に示すように、ＬＰＰ（ＬＴＥ  Ｐｏｓｉｔｉｏｎｉｎｇ  Ｐｒｏｔｏｃｏｌ）を用いて、移動局ＵＥの位置情報を提供する位置情報提供サービス（ＬＣＳ：ＬｏＣａｔｉｏｎ  Ｓｅｒｖｉｃｅｓ）を実現することができるように構成されている（例えば、非特許文献１や２参照）。
【先行技術文献】
【非特許文献】
【０００３】
【非特許文献１】３ＧＰＰ  ＴＳ２３.２７１
【非特許文献２】３ＧＰＰ  ＴＳ３６.３０５
【非特許文献３】３ＧＰＰ  ＴＳ３６.４１３
【非特許文献４】３ＧＰＰ  ＴＳ３６.３３１
【非特許文献５】３ＧＰＰ  ＴＳ２９.１７１
【発明の概要】
【発明が解決しようとする課題】
【０００４】
しかしながら、上述の移動通信システムでは、移動局ＵＥの測位処理中に、移動局ＵＥの無線基地局ｅＮｏｄｅＢを跨るハンドオーバが行われた場合には、ＬＰＰ信号（ＬＰＰ-ＰＤＵ）を再送することができないという問題点があった。
【０００５】
また、上述の移動通信システムでは、ＬＰＰ信号を再送する際に、ハンドオーバ先のＣｅｌｌ-ＩＤに基づいて、ＬＰＰ信号を更新することができないという問題点もあった。
【０００６】
そこで、本発明は、上述の課題に鑑みてなされたものであり、移動局ＵＥの測位処理中に、移動局ＵＥの無線基地局ｅＮｏｄｅＢを跨るハンドオーバが行われた場合の不具合を解消することができる移動通信方法、移動管理用ノード、測位演算用ノード及び移動局を提供することを目的とする。
【課題を解決するための手段】
【０００７】
本発明の第１の特徴は、移動通信方法であって、測位演算用ノードが、移動管理用ノードに対して、測位信号を送信する工程と、前記移動管理用ノードが、無線基地局に対して、前記測位信号及び前記測位演算用ノードの識別情報を含む転送信号を送信する工程と、前記無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、前記移動管理用ノードが、受信した前記送信失敗通知信号に含まれる前記送信失敗理由が測位失敗を示す場合、該送信失敗通知信号に含まれる前記測位演算用ノードの識別情報によって特定される前記測位演算用ノードに対して、該送信失敗理由及び該送信失敗通知信号に含まれる前記測位信号を送信する工程とを有することを要旨とする。
【０００８】
本発明の第２の特徴は、移動管理用ノードであって、無線基地局に対して、測位演算用ノードから受信した測位信号及び該測位演算用ノードの識別情報を含む転送信号を送信するように構成されており、前記無線基地局から受信した送信失敗通知信号に含まれる送信失敗理由が測位失敗を示す場合、該送信失敗通知信号に含まれる前記測位演算用ノードの識別情報によって特定される前記測位演算用ノードに対して、該送信失敗理由及び該送信失敗通知信号に含まれる前記測位信号を送信するように構成されていることを要旨とする。
【０００９】
本発明の第３の特徴は、移動通信方法であって、測位演算用ノードが、移動管理用ノードに対して、測位信号を送信する工程と、前記移動管理用ノードが、第１無線基地局に対して、前記測位信号及び前記測位演算用ノードの識別情報を含む転送信号を送信する工程と、前記第１無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、前記移動管理用ノードが、受信した前記送信失敗通知信号に含まれる前記送信失敗理由がハンドオーバ実施中を示す場合、所定タイマーを起動する工程と、前記移動管理用ノードが、前記所定タイマーの満了前に、第２無線基地局からハンドオーバ先セルの識別情報を含む所定信号を受信した場合、前記送信失敗通知信号に含まれる前記測位演算用ノードの識別情報によって特定される前記測位演算用ノードに対して、該ハンドオーバ先セルの識別情報と該送信失敗通知信号に含まれる前記送信失敗理由及び前記測位信号とを送信する工程とを有することを要旨とする。
【００１０】
本発明の第４の特徴は、移動管理用ノードであって、第１無線基地局に対して、測位演算用ノードから受信した測位信号及び該測位演算用ノードの識別情報を含む転送信号を送信するように構成されており、前記第１無線基地局から受信した送信失敗通知信号に含まれる送信失敗理由がハンドオーバ実施中を示す場合、所定タイマーを起動するように構成されており、前記所定タイマーの満了前に、第２無線基地局からハンドオーバ先セルの識別情報を含む所定信号を受信した場合、前記送信失敗通知信号に含まれる前記測位演算用ノードの識別情報によって特定される前記測位演算用ノードに対して、該ハンドオーバ先セルの識別情報と該送信失敗通知信号に含まれる前記送信失敗理由及び前記測位信号とを送信するように構成されていることを要旨とする。
【００１１】
本発明の第５の特徴は、移動通信方法であって、測位演算用ノードが、移動管理用ノードに対して、測位信号を送信する工程と、前記移動管理用ノードが、第１無線基地局に対して、前記測位信号及び前記測位演算用ノードの識別情報を含む転送信号を送信する工程と、前記第１無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、前記移動管理用ノードが、受信した前記送信失敗通知信号に含まれる前記送信失敗理由がハンドオーバ実施中を示す場合、所定タイマーを起動する工程と、前記移動管理用ノードが、第２無線基地局からハンドオーバ先セルの識別情報を含む所定信号を受信する前に、前記所定タイマーが満了した場合、前記送信失敗通知信号に含まれる前記測位演算用ノードの識別情報によって特定される前記測位演算用ノードに対して、該送信失敗理由及び該送信失敗通知信号に含まれる前記測位信号を送信する工程と、前記移動管理用ノードが、前記所定タイマーの満了後に、前記第２無線基地局からハンドオーバ先セルの識別情報を含む所定信号を受信した場合、該ハンドオーバセルの識別情報を前記測位演算用ノードに対して通知することなく、保持しているセルの識別情報を更新し、その旨を示す情報を記憶する工程とを有することを要旨とする。
【００１２】
本発明の第６の特徴は、移動管理用ノードであって、第１無線基地局に対して、測位演算用ノードから受信した測位信号及び該測位演算用ノードの識別情報を含む転送信号を送信するように構成されており、前記第１無線基地局から受信した送信失敗通知信号に含まれる送信失敗理由がハンドオーバ実施中を示す場合、所定タイマーを起動するように構成されており、第２無線基地局からハンドオーバ先セルの識別情報を含む所定信号を受信する前に、前記所定タイマーが満了した場合、前記送信失敗通知信号に含まれる前記測位演算用ノードの識別情報によって特定される前記測位演算用ノードに対して、該送信失敗理由及び該送信失敗通知信号に含まれる前記測位信号を送信するように構成されており、前記所定タイマーの満了後に、前記第２無線基地局からハンドオーバ先セルの識別情報を含む所定信号を受信した場合、該ハンドオーバセルの識別情報を前記測位演算用ノードに対して通知することなく、保持しているセルの識別情報を更新し、その旨を示す情報を記憶するように構成されていることを要旨とする。
【００１３】
本発明の第７の特徴は、移動通信方法であって、測位演算用ノードが、移動管理用ノードに対して、測位信号を送信する工程と、前記移動管理用ノードが、第１無線基地局に対して、前記測位信号及び前記測位演算用ノードの識別情報を含む転送信号を送信する工程と、前記第１無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、前記移動管理用ノードが、受信した前記送信失敗通知信号に含まれる前記送信失敗理由がハンドオーバ実施中を示す場合、該送信失敗通知信号に含まれる前記測位演算用ノードの識別情報によって特定される前記測位演算用ノードに対して、該送信失敗理由及び該送信失敗通知信号に含まれる前記測位信号を送信する工程と、前記測位演算用ノードが、前記移動管理用ノードから前記送信失敗理由及び前記測位信号を受信した場合に、所定タイマーを起動する工程と、前記測位演算用ノードが、前記所定タイマーの満了前に、第２無線基地局から前記移動管理用ノード経由でハンドオーバ先セルの識別情報を受信した場合、該移動管理用ノードに対して、該ハンドオーバ先セルの識別情報に対応する測位信号を送信する工程とを有することを要旨とする。
【００１４】
本発明の第８の特徴は、測位演算用ノードであって、移動管理用ノードに対して、測位信号を送信するように構成されており、前記第１無線基地局が移動局に対する前記測位信号の送信に失敗した場合に前記移動管理用ノードに対して送信する送信失敗通知信号に含まれる送信失敗理由及び該測位信号を、該移動管理用ノードから受信した場合に、所定タイマーを起動するように構成されており、前記所定タイマーの満了前に、第２無線基地局から前記移動管理用ノード経由でハンドオーバ先セルの識別情報を受信した場合、該移動管理用ノードに対して、該ハンドオーバ先セルの識別情報に対応する測位信号を送信するように構成されていることを要旨とする。
【００１５】
本発明の第９の特徴は、移動通信方法であって、測位演算用ノードが、移動管理用ノードに対して、測位信号を送信する工程と、前記移動管理用ノードが、第１無線基地局に対して、前記測位信号及び前記測位演算用ノードの識別情報を含む転送信号を送信する工程と、前記第１無線基地局が、移動局に対する前記測位信号の送信に失敗した場合に、前記移動管理用ノードに対して、送信失敗理由と該測位信号と前記測位演算用ノードの識別情報とを含む送信失敗通知信号を送信する工程と、前記移動管理用ノードが、受信した前記送信失敗通知信号に含まれる前記送信失敗理由がハンドオーバ実施中を示す場合、該送信失敗通知信号に含まれる前記測位演算用ノードの識別情報によって特定される前記測位演算用ノードに対して、該送信失敗理由及び該送信失敗通知信号に含まれる前記測位信号を送信する工程と、前記測位演算用ノードが、前記移動管理用ノードから前記送信失敗理由及び前記測位信号を受信した場合に、前記移動局に対して、ハンドオーバ先のセルの識別情報の通知を要求する通知要求を送信する工程とを有することを要旨とする。
【００１６】
本発明の第１０の特徴は、測位演算用ノードであって、移動管理用ノードに対して、測位信号を送信するように構成されており、前記第１無線基地局が移動局に対する前記測位信号の送信に失敗した場合に前記移動管理用ノードに対して送信する送信失敗通知信号に含まれる送信失敗理由及び該測位信号を、該移動管理用ノードから受信した場合に、前記移動局に対して、ハンドオーバ先のセルの識別情報の通知を要求する通知要求を送信するように構成されていることを要旨とする。
【００１７】
本発明の第１１の特徴は、移動局であって、第１無線基地局配下の第１セルから第２無線基地局配下の第２セルへのハンドオーバを検知した場合で、かつ、測位演算用ノードからハンドオーバ先のセルの識別情報の通知を要求する通知要求を受信した場合に、該測位演算用ノードに対して、第２セルの識別情報を通知するように構成されていることを要旨とする。
【発明の効果】
【００１８】
以上説明したように、本発明によれば、移動局ＵＥの測位処理中に、移動局ＵＥの無線基地局ｅＮｏｄｅＢを跨るハンドオーバが行われた場合の不具合を解消することができる移動通信方法、移動管理用ノード、測位演算用ノード及び移動局を提供することができる。
【図面の簡単な説明】
【００１９】
【図１】本発明の第１の実施形態に係る移動通信システムの全体構成図である。
【図２】本発明の第１の実施形態に係る移動通信システムの動作を説明するための図である。
【図３】本発明の第１の実施形態に係る移動通信システムの動作を説明するための図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る移動通信システムの動作を示すシーケンス図である。
【図７】本発明の第１の実施形態に係る移動通信システムの動作を示すシーケンス図である。
【図８】従来の移動通信システムの動作を示すシーケンス図である。
【発明を実施するための形態】
【００２０】
（本発明の第１の実施形態に係る移動通信システム）
図１乃至図７を参照して、本発明の第１の実施形態に係る移動通信システムについて説明する。
【００２１】
本実施形態に係る移動通信システムは、移動局ＵＥに対して、ＬＣＳ（位置情報サービス）を提供することができるように構成されている。具体的には、本実施形態に係る移動通信システムは、ＬＰＰを用いて、移動局ＵＥに対して、移動局ＵＥに係る「ＬＰＰ  ＰＤＵ」を提供することができるように構成されている。
【００２２】
図１に示すように、本実施形態に係る移動通信システムは、無線基地局ｅＮＢと、移動管理用ノードＭＭＥ（Ｍｏｂｉｌｉｔｙ  Ｍａｎａｇｅｍｅｎｔ  Ｅｎｔｉｔｙ）と、測位演算用ノードＥ-ＳＭＬＣと、ゲートウェイ装置Ｓ-ＧＷ（Ｓｅｒｖｉｎｇ  Ｇａｔｅｗａｙ）と、ゲートウェイ装置Ｐ-ＧＷ（ＰＤＮ  Ｇａｔｅｗａｙ）と、ノードＧＭＬＣ（Ｇａｔｅｗａｙ  Ｍｏｂｉｌｅ  Ｌｏｃａｔｉｏｎ  Ｃｅｎｔｒｅ）と、ノードＬＲＦ（Ｌｏｃａｔｉｏｎ  Ｒｅｔｒｉｅｖａｌ  Ｆｕｎｃｔｉｏｎ）と、ＩＭＳ（ＩＰ  Ｍｕｌｔｉｍｅｄｉａ  Ｓｕｂｓｙｓｔｅｍ）と、ＰＳＡＰ（Ｐｕｂｌｉｃ  Ｓａｆｅｔｙ  Ａｎｓｗｅｒ  Ｐｏｉｎｔ）とを具備している。
【００２３】
移動局ＵＥと無線基地局ｅＮＢとの間のインターフェイスは、ＬＴＥ-Ｕｕインターフェイスであり、移動局ＵＥと無線基地局ｅＮＢとの間では、シグナリンク用コネクション及びデータ信号/音声信号用コネクションが設定されるように構成されている。
【００２４】
無線基地局ｅＮＢとゲートウェイ装置Ｓ-ＧＷとの間のインターフェイスは、Ｓ１-Ｕインターフェイスであり、無線基地局ｅＮＢとゲートウェイ装置Ｓ-ＧＷとの間では、シグナリンク用コネクション及びデータ信号/音声信号用コネクションが設定されるように構成されている。
【００２５】
ゲートウェイ装置Ｓ-ＧＷとゲートウェイ装置Ｐ-ＧＷとの間のインターフェイスは、Ｓ５インターフェイスであり、ゲートウェイ装置Ｓ-ＧＷとゲートウェイ装置Ｐ-ＧＷとの間では、シグナリンク用コネクション及びデータ信号/音声信号用コネクションが設定されるように構成されている。
【００２６】
ゲートウェイ装置Ｐ-ＧＷとＩＭＳとの間のインターフェイスは、ＳＧｉインターフェイスであり、ゲートウェイ装置Ｐ-ＧＷとＩＭＳとの間では、シグナリンク用コネクション及びデータ信号/音声信号用コネクションが設定されるように構成されている。
【００２７】
無線基地局ｅＮＢと移動管理用ノードＭＭＥとの間のインターフェイスは、Ｓ１-ＭＭＥインターフェイスであり、無線基地局ｅＮＢと移動管理用ノードＭＭＥとの間では、シグナリンク用コネクションが設定されるように構成されている。
【００２８】
移動管理用ノードＭＭＥと測位演算用ノードＥ-ＳＭＬＣとの間のインターフェイスは、ＳＬｓインターフェイスであり、移動管理用ノードＭＭＥと測位演算用ノードＥ-ＳＭＬＣとの間では、シグナリンク用コネクションが設定されるように構成されている。
【００２９】
移動管理用ノードＭＭＥとノードＧＭＬＣとの間のインターフェイスは、ＳＬｇインターフェイスであり、移動管理用ノードＭＭＥとノードＧＭＬＣとの間では、シグナリンク用コネクションが設定されるように構成されている。
【００３０】
ノードＬＲＦとＩＭＳとの間のインターフェイスは、Ｍ１インターフェイスであり、ノードＬＲＦとＩＭＳとの間では、シグナリンク用コネクションが設定されるように構成されている。
【００３１】
ノードＬＲＦとＰＳＡＰとの間のインターフェイスは、Ｌｅ（例えば、Ｅ２）インターフェイスであり、ノードＬＲＦとＰＳＡＰとの間では、１つ又は複数の中間ノードを介して、シグナリンク用コネクションが設定されるように構成されている。
【００３２】
本実施形態に係る移動通信システムでは、移動局ＵＥの測位処理を行う機能は、無線基地局ｅＮＢではなく、測位演算用ノードＥ-ＳＭＬＣに設けられるように構成されている。
【００３３】
図２のステップＳ１０１に示すように、移動管理用ノードＭＭＥは、測位演算用ノードＥ-ＳＭＬＣからＬＰＰ-ＰＤＵ（測位信号、ＬＰＰ信号）を含むＬＰＰ-ＡＰ信号を受信すると、図２のステップＳ１０２に示すように、無線基地局ｅＮｏｄｅＢに対して、かかるＬＰＰ-ＰＤＵ及びＥ-ＳＭＬＣの識別情報を含むＳ１-ＡＰ信号（転送信号）である「Ｓ１-ＡＰ  Ｄｏｗｎｌｉｎｋ  ＮＡＳ  Ｔｒａｎｓｐｏｒｔ」を送信するように構成されている。
【００３４】
また、図２のステップＳ１０３に示すように、無線基地局ｅＮｏｄｅＢが、移動局ＵＥに対するＬＰＰ-ＰＤＵの送信に失敗した場合に、移動管理用ノードＭＭＥに対して、送信失敗理由（Ｃａｕｓｅ）とＬＰＰ信号のデータであるＬＰＰ-ＰＤＵとＥ-ＳＭＬＣの識別情報とを含む送信失敗通知信号「Ｓ１-ＡＰ  ＮＯＮ  ＤＥＬＩＶＥＲＹ  ＩＮＤＩＣＡＴＩＯＮ」を送信した場合、移動管理用ノードＭＭＥは、無線基地局ｅＮｏｄｅＢから受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由が測位失敗又はハンドオーバ実施中等を示す場合、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、送信失敗通知信号「Ｓ１-ＡＰ  ＮＯＮ  ＤＥＬＩＶＥＲＹ  ＩＮＤＩＣＡＴＩＯＮ」に含まれる送信失敗理由及びＬＰＰ信号を送信するように構成されている。
【００３５】
また、移動管理用ノードＭＭＥは、移動局ＵＥの位置関連情報として、「ＩＭＳＩ」と「ＭＳＩＳＤＮ」と「ＭＥ  Ｉｄｅｎｔｉｔｙ」と「Ｅ-ＵＴＲＡＮ  Ｃｅｌｌ  Ｇｌｏｂａｌ  Ｉｄｅｎｔｉｔｙ（Ｃｅｌｌ-ＩＤ）」と「Ｃｅｌｌ  Ｕｐｄａｔｅ  Ｆｌａｇ」とを関連付けて管理するように構成されている。
【００３６】
ここで、「Ｃｅｌｌ  Ｕｐｄａｔｅ  Ｆｌａｇ」は、移動局ＵＥの存在するセルの識別情報のうち、測位演算用ノードＥ-ＳＭＬＣに対して通知していないセルの識別情報（新Ｃｅｌｌ-ＩＤ）が存在するか否かについて示す情報である。
【００３７】
また、図３のステップＳ２０１に示すように、移動管理用ノードＭＭＥは、自身が保持するＣｅｌｌ-ＩＤを更新する所定信号、すなわち、ＬＣＳ-ＮＡＳ信号やＮＡＳ信号やＳ１-ＡＰ信号（例えば、「Ｉｎｉｔｉａｌ  ＵＥ  Ｍｅｓｓａｇｅ」）を受信した場合、「Ｃｅｌｌ  Ｕｐｄａｔｅ  Ｆｌａｇ」に「１」を設定し、次回の測位処理の際に（例えば、「Ｌｏｃａｔｉｏｎ  Ｒｅｑｕｅｓｔ」の送信時に）、測位演算用ノードＥ-ＳＭＬＣに対して、更新されたＣｅｌｌ-ＩＤ（新Ｃｅｌｌ-ＩＤ）を通知するように構成されている（後述する図５参照）。
【００３８】
なお、移動管理用ノードＭＭＥは、測位演算用ノードＥ-ＳＭＬＣに対して、更新されたＣｅｌｌ-ＩＤ（新Ｃｅｌｌ-ＩＤ）を通知した場合、「Ｃｅｌｌ  Ｕｐｄａｔｅ  Ｆｌａｇ」に「０」を設定してもよい。
【００３９】
なお、図３に示すように、移動管理用ノードＭＭＥは、図２で述べた無線基地局ｅＮｏｄｅＢから受信した送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報を記憶しておき、自身が保持するＣｅｌｌ-ＩＤを更新する所定信号を受信した場合、かかるＥ-ＳＭＬＣの識別情報によって特定される測位演算用ノードＥ-ＳＭＬＣに対して、更新されたＣｅｌｌ-ＩＤ（新Ｃｅｌｌ-ＩＤ）を通知するように構成されていてもよい（後述する図６参照）。
【００４０】
なお、Ｅ-ＳＭＬＣの識別情報は、Ｅ-ＳＭＬＣのＩＰアドレスや、その他通信セッションを特定する情報でもよい。
【００４１】
以下、図４乃至図７を参照して、本実施形態に係る移動通信システムの動作について具体的に説明する。
【００４２】
第１に、図４を参照して、本実施形態に係る移動通信システムにおいて、移動管理用ノードＭＭＥが、Ｃｅｌｌ-ＩＤ更新待ちタイマーが満了する前に、新Ｃｅｌｌ-ＩＤを含む所定信号を受信したケースの動作について説明する。
【００４３】
図４に示すように、移動管理用ノードＭＭＥは、ステップＳ１０００において、測位要求の受信等といった測位処理イベントを検出すると、ステップＳ１００１において、測位演算用ノードＥ-ＳＭＬＣに対して、自身が保持している移動局ＵＥの存在するセルの識別情報（Ｃｅｌｌ-ＩＤ）を含むＬＰＰ信号（ＬＰＰ-ＰＤＵ）を含むＬＣＳ-ＡＰ信号を送信する。
【００４４】
ステップＳ１００２において、測位演算用ノードＥ-ＳＭＬＣは、移動管理用ノードＭＭＥに対して、例えば、「Ａｓｓｉｓｔａｎｃｅ  Ｄａｔａ」を含むＬＰＰ信号を含むＬＣＳ-ＡＰ信号を送信する。
【００４５】
移動管理用ノードＭＭＥは、ステップＳ１００３において、かかる測位演算用ノードＥ-ＳＭＬＣを特定するＥ-ＳＭＬＣの識別情報（例えば、ＩＰアドレス）を割り当て、ステップＳ１００４において、無線基地局ｅＮｏｄｅＢ＃１に対して、かかるＬＰＰ信号及びＥ-ＳＭＬＣの識別情報を含む転送信号「Ｓ１-ＡＰ  Ｄｏｗｎｌｉｎｋ  ＮＡＳ  Ｔｒａｎｓｐｏｒｔ」を送信する。
【００４６】
無線基地局ｅＮｏｄｅＢ＃１は、ステップＳ１００５において、移動局ＵＥに対するＬＰＰ信号の送信に失敗した場合に、ステップＳ１００６において、移動管理用ノードＭＭＥに対して、送信失敗理由（Ｃａｕｓｅ）とＬＰＰ信号とＥ-ＳＭＬＣの識別情報とを含む送信失敗通知信号「Ｓ１-ＡＰ  ＮＯＮ  ＤＥＬＩＶＥＲＹ  ＩＮＤＩＣＡＴＩＯＮ」を送信する。
【００４７】
ステップＳ１００７において、移動管理用ノードＭＭＥは、受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由を判定する。
【００４８】
かかる送信失敗理由が測位失敗を示す場合、ステップＳ１００８において、移動管理用ノードＭＭＥは、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、「Ｓ１-ＡＰ  ＮＯＮ  ＤＥＬＩＶＥＲＹ  ＩＮＤＩＣＡＴＩＯＮ」に含まれる送信失敗理由及びＬＰＰ信号を送信し、ステップＳ１００９において、測位演算用ノードＥ-ＳＭＬＣは、移動局ＵＥの測位処理を中止する。
【００４９】
一方、ステップＳ１０００Ａにおいて、移動局ＵＥの無線基地局ｅＮｏｄｅＢ＃１配下のセルから無線基地局ｅＮｏｄｅＢ＃２配下のセルへのハンドオーバ処理が開始されているため、かかる送信失敗理由がハンドオーバ実施中を示す場合、ステップＳ１０１０において、移動管理用ノードＭＭＥは、Ｃｅｌｌ-ＩＤ更新待ちタイマーを起動する。
【００５０】
図４の例では、ステップＳ１０００Ｂ及びＳ１０００Ｃにおいて、移動局ＵＥの無線基地局ｅＮｏｄｅＢ＃１配下のセルから無線基地局ｅＮｏｄｅＢ＃２配下のセルへのハンドオーバ処理が完了し、ステップＳ１０００Ｄにおいて、無線基地局ｅＮｏｄｅＢ＃２が、移動管理用ノードＭＭＥに対して、ハンドオーバ先のセルの識別情報（新Ｃｅｌｌ-ＩＤ）を含む所定信号、例えば、Ｓ１-ＡＰ信号（「ＰＡＴＨ  ＳＷＩＴＣＨ  ＲＥＱＵＥＳＴ」等）を送信する。
【００５１】
ここで、移動管理用ノードＭＭＥは、Ｃｅｌｌ-ＩＤ更新待ちタイマーが満了する前に、新Ｃｅｌｌ-ＩＤを含むＳ１-ＡＰ信号を受信したため、ステップＳ１０１１において、ステップＳ１００６において受信した送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報に基づいて、測位演算用ノードＥ-ＳＭＬＣを特定し、ステップＳ１０１２において、かかる測位演算用ノードＥ-ＳＭＬＣに対して、新Ｃｅｌｌ-ＩＤ、及び、ステップＳ１００６において受信した送信失敗通知信号「Ｓ１-ＡＰ  ＮＯＮ  ＤＥＬＩＶＥＲＹ  ＩＮＤＩＣＡＴＩＯＮ」に含まれるＬＰＰ信号及び送信失敗理由を含むＬＣＳ-ＡＰ信号を送信する。
【００５２】
ステップＳ１０１３及びＳ１０１４において、測位演算用ノードＥ-ＳＭＬＣは、必要に応じて、受信したＬＣＳ-ＡＰ信号に含まれる新Ｃｅｌｌ-ＩＤに基づいて、ＬＰＰ信号の更新や再送を行う。
【００５３】
第２に、図５を参照して、本実施形態に係る移動通信システムにおいて、移動管理用ノードＭＭＥが、Ｃｅｌｌ-ＩＤ更新待ちタイマーが満了する前に、新Ｃｅｌｌ-ＩＤを含む所定信号を受信しなかったケースの動作について説明する。
【００５４】
図５に示すように、ステップＳ２０００乃至Ｓ２０１０の動作は、図４に示すステップＳ１０００乃至Ｓ１０１０の動作と同一である。
【００５５】
ここで、ステップＳ２０１１において、移動管理用ノードＭＭＥによって新Ｃｅｌｌ-ＩＤを含む所定信号が受信されることなく、すなわち、移動局ＵＥの無線基地局ｅＮｏｄｅＢ＃１配下のセルから無線基地局ｅＮｏｄｅＢ＃２配下のセルへのハンドオーバ処理が完了することなく、Ｃｅｌｌ-ＩＤ更新待ちタイマーが満了したため、移動管理用ノードＭＭＥは、ステップＳ２０１２において、ステップＳ２００６において受信した送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報に基づいて、測位演算用ノードＥ-ＳＭＬＣを特定し、ステップＳ２０１３において、かかる測位演算用ノードＥ-ＳＭＬＣに対して、ステップＳ２００６において受信した送信失敗通知信号「Ｓ１-ＡＰ  ＮＯＮ  ＤＥＬＩＶＥＲＹ  ＩＮＤＩＣＡＴＩＯＮ」に含まれるＬＰＰ信号及び送信失敗理由を含むＬＣＳ-ＡＰ信号を送信する。
【００５６】
ステップＳ２０１４及びＳ２０１５において、測位演算用ノードＥ-ＳＭＬＣは、必要に応じて、受信したＬＣＳ-ＡＰ信号に含まれる新Ｃｅｌｌ-ＩＤに基づいて、ＬＰＰ信号の更新や再送を行う。
【００５７】
その後、ステップＳ２０００Ｂ及びＳ２０００Ｃにおいて、移動局ＵＥの無線基地局ｅＮｏｄｅＢ＃１配下のセルから無線基地局ｅＮｏｄｅＢ＃２配下のセルへのハンドオーバ処理が完了し、ステップＳ２０００Ｄにおいて、無線基地局ｅＮｏｄｅＢ＃２が、移動管理用ノードＭＭＥに対して、ハンドオーバ先のセルの識別情報（新Ｃｅｌｌ-ＩＤ）を含む所定信号、例えば、Ｓ１-ＡＰ信号（「ＰＡＴＨ  ＳＷＩＴＣＨ  ＲＥＱＵＥＳＴ」等）を送信する。
【００５８】
ここで、移動管理用ノードＭＭＥは、Ｃｅｌｌ-ＩＤ更新待ちタイマーが満了した後に、新Ｃｅｌｌ-ＩＤを含むＳ１-ＡＰ信号を受信したため、ステップＳ２０１６において、測位演算用ノードＥ-ＳＭＬＣに対して、かかる新Ｃｅｌｌ-ＩＤを通知することなく、「Ｃｅｌｌ  Ｕｐｄａｔｅ  Ｆｌａｇ」に「１」を設定し、次回の測位処理の際に（例えば、「Ｌｏｃａｔｉｏｎ  Ｒｅｑｕｅｓｔ」の送信時、或いは、移動局ＵＥから測位演算用ノードＥ-ＳＭＬＣに対するＡｓｓｉｓｔａｎｃｅ  Ｄａｔａを要求するといったＬＰＰ信号を転送する際に）、測位演算用ノードＥ-ＳＭＬＣに対して、更新されたＣｅｌｌ-ＩＤ（新Ｃｅｌｌ-ＩＤ）を通知する。
【００５９】
第３に、図６を参照して、本実施形態に係る移動通信システムにおいて、移動管理用ノードＭＭＥが、Ｃｅｌｌ-ＩＤ更新待ちタイマーが満了する前に、新Ｃｅｌｌ-ＩＤを含む所定信号を受信した別のケースの動作について説明する。
【００６０】
図６に示すように、ステップＳ３０００乃至Ｓ３００９の動作は、図４に示すステップＳ１０００乃至Ｓ１００９の動作と同一である。
【００６１】
移動管理用ノードＭＭＥは、ステップＳ３０１０において、ステップＳ３００６において受信した送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報に基づいて、測位演算用ノードＥ-ＳＭＬＣを特定し、ステップＳ３０１１において、かかる測位演算用ノードＥ-ＳＭＬＣに対して、ステップＳ３００６において受信した送信失敗通知信号「Ｓ１-ＡＰ  ＮＯＮ  ＤＥＬＩＶＥＲＹ  ＩＮＤＩＣＡＴＩＯＮ」に含まれるＬＰＰ信号及び送信失敗理由を含むＬＣＳ-ＡＰ信号を送信し、ステップＳ３０１２において、移動局ＵＥの識別情報（ＵＥ-ＩＤ）とＥ-ＳＭＬＣの識別情報とを関連付けて記憶する。
【００６２】
ステップＳ３０１３において、測位演算用ノードＥ-ＳＭＬＣは、かかるＬＣＳ-ＡＰ信号を受信すると、Ｃｅｌｌ-ＩＤ更新待ちタイマーを起動する。
【００６３】
その後、ステップＳ３０００Ｂ及びＳ３０００Ｃにおいて、移動局ＵＥの無線基地局ｅＮｏｄｅＢ＃１配下のセルから無線基地局ｅＮｏｄｅＢ＃２配下のセルへのハンドオーバ処理が完了し、ステップＳ３０００Ｄにおいて、無線基地局ｅＮｏｄｅＢ＃２が、移動管理用ノードＭＭＥに対して、ハンドオーバ先のセルの識別情報（新Ｃｅｌｌ-ＩＤ）及び移動局ＵＥの識別情報（ＵＥ-ＩＤ（例えば、ＩＭＳＩ））を含む所定信号、例えば、Ｓ１-ＡＰ信号（「ＰＡＴＨ  ＳＷＩＴＣＨ  ＲＥＱＵＥＳＴ」等）を送信する。
【００６４】
ステップＳ３０００Ｅにおいて、移動管理用ノードＭＭＥは、受信したＳ１-ＡＰ信号に含まれる移動局ＵＥの識別情報（ＵＥ-ＩＤ）に関連付けられているＥ-ＳＭＬＣの識別情報によって特定される測位演算用ノードＥ-ＳＭＬＣに対して、かかるＳ１-ＡＰ信号に含まれる移動局ＵＥの識別情報（ＵＥ-ＩＤ）及び新Ｃｅｌｌ-ＩＤを含むＬＣＳ-ＡＰ信号を送信する。
【００６５】
ステップＳ３０１４及びＳ３０１５において、測位演算用ノードＥ-ＳＭＬＣは、必要に応じて、受信したＬＣＳ-ＡＰ信号に含まれる新Ｃｅｌｌ-ＩＤに基づいて、ＬＰＰ信号の更新や再送を行う。
【００６６】
第４に、図７を参照して、本実施形態に係る移動通信システムにおいて、移動管理用ノードＭＭＥが、Ｃｅｌｌ-ＩＤ更新待ちタイマーが満了する前に、新Ｃｅｌｌ-ＩＤを含む所定信号を受信した別のケースの動作について説明する。
【００６７】
図７に示すように、ステップＳ４０００乃至Ｓ４０１１の動作は、図６に示すステップＳ３０００乃至Ｓ３０１１の動作と同一である。
【００６８】
測位演算用ノードＥ-ＳＭＬＣは、ステップＳ４０１２において、Ｃｅｌｌ-ＩＤ更新待ちタイマーを起動し、ステップＳ４０１３において、移動管理用ノードＭＭＥ及び無線基地局ｅＮｏｄｅＢ＃２を介して、移動局ＵＥに対して、ハンドオーバ先のセルの識別情報（新Ｃｅｌｌ-ＩＤ）の通知を要求するＣｅｌｌ-ＩＤ通知要求を含むＬＰＰ信号を送信する。
【００６９】
ステップＳ４０１４において、移動局ＵＥは、移動局ＵＥの無線基地局ｅＮｏｄｅＢ＃１配下のセルから無線基地局ｅＮｏｄｅＢ＃２配下のセルへのハンドオーバ処理中であることを検知しているため、かかるＣｅｌｌ-ＩＤ通知要求に応じて、無線基地局ｅＮｏｄｅＢ＃２及び移動管理用ノードＭＭＥを介して、ハンドオーバ先セルの識別情報（新Ｃｅｌｌ-ＩＤ）を含むＬＰＰ信号を送信する。
【００７０】
ステップＳ４０１５及びＳ４０１６において、測位演算用ノードＥ-ＳＭＬＣは、必要に応じて、受信したＬＣＳ-ＡＰ信号に含まれる新Ｃｅｌｌ-ＩＤに基づいて、ＬＰＰ信号の更新や再送を行う。
【００７１】
本発明の第１の実施形態に係る移動通信システムによれば、移動局ＵＥの測位処理中に、移動局ＵＥの無線基地局ｅＮｏｄｅＢを跨るハンドオーバが行われた場合であっても、効率的に、ＬＰＰ信号（ＬＰＰ-ＰＤＵ）を再送することができる。
【００７２】
また、本発明の第１の実施形態に係る移動通信システムによれば、ＬＰＰ信号を再送する際に、適切に、ハンドオーバ先のＣｅｌｌ-ＩＤに基づいて、ＬＰＰ信号を更新することができる。
【００７３】
以上に述べた本実施形態の特徴は、以下のように表現されていてもよい。
【００７４】
本実施形態の第１の特徴は、移動通信方法であって、測位演算用ノードＥ-ＳＭＬＣが、移動管理用ノードＭＭＥに対して、ＬＣＳ-ＡＰ信号によりＬＰＰ信号（測位信号）を送信する工程と、移動管理用ノードＭＭＥが、無線基地局ｅＮｏｄｅＢ＃１に対して、ＬＰＰ信号及びＥ-ＳＭＬＣの識別情報（測位演算用ノードの識別情報）を含む転送信号「Ｓ１-ＡＰ  Ｄｏｗｎｌｉｎｋ  ＮＡＳ  Ｔｒａｎｓｐｏｒｔ」を送信する工程と、無線基地局ｅＮｏｄｅＢ＃１が、移動局ＵＥに対するＬＰＰ信号を含む無線信号の送信に失敗した場合に、移動管理用ノードＭＭＥに対して、送信失敗理由と送信できなかったＬＰＰ信号とＥ-ＳＭＬＣの識別情報とを含む送信失敗通知信号「Ｓ１-ＡＰ  ＮＯＮ  ＤＥＬＩＶＥＲＹ  ＩＮＤＩＣＡＴＩＯＮ」を送信する工程と、移動管理用ノードＭＭＥが、受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由が測位失敗を示す場合、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ信号をＬＣＳ-ＡＰ信号により送信する工程とを有することを要旨とする。
【００７５】
本実施形態の第２の特徴は、移動管理用ノードＭＭＥであって、無線基地局ｅＮｏｄｅＢに対して、測位演算用ノードＥ-ＳＭＬＣからＬＣＳ-ＡＰ信号により受信したＬＰＰ信号及びＥ-ＳＭＬＣの識別情報を含む転送信号「Ｓ１-ＡＰ  Ｄｏｗｎｌｉｎｋ  ＮＡＳ  Ｔｒａｎｓｐｏｒｔ」を送信するように構成されており、無線基地局ｅＮｏｄｅＢから受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由が測位失敗を示す場合、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、送信失敗通知信号「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ信号をＬＣＳ-ＡＰ信号により送信するように構成されていることを要旨とする。
【００７６】
本実施形態の第３の特徴は、移動通信方法であって、測位演算用ノードＥ-ＳＭＬＣが、移動管理用ノードＭＭＥに対して、ＬＣＳ-ＡＰ信号によりＬＰＰ信号を送信する工程と、移動管理用ノードＭＭＥが、無線基地局ｅＮｏｄｅＢ＃１（第１無線基地局）に対して、ＬＰＰ信号及びＥ-ＳＭＬＣの識別情報を含む転送信号「Ｓ１-ＡＰ  Ｄｏｗｎｌｉｎｋ  ＮＡＳ  Ｔｒａｎｓｐｏｒｔ」を送信する工程と、無線基地局ｅＮｏｄｅＢ＃１が、移動局ＵＥに対するＬＰＰ信号の送信に失敗した場合に、移動管理用ノードＭＭＥに対して、送信失敗理由と送信できなかったＬＰＰ信号とＥ-ＳＭＬＣの識別情報とを含む送信失敗通知信号「Ｓ１-ＡＰ  ＮＯＮ  ＤＥＬＩＶＥＲＹ  ＩＮＤＩＣＡＴＩＯＮ」を送信する工程と、移動管理用ノードＭＭＥが、受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由がハンドオーバ実施中を示す場合、Ｃｅｌｌ-ＩＤ更新待ちタイマー（所定タイマー）を起動する工程と、移動管理用ノードＭＭＥが、Ｃｅｌｌ-ＩＤ更新待ちタイマーの満了前に、無線基地局ｅＮｏｄｅＢ＃２（第２無線基地局）からハンドオーバ先セルの識別情報を含む所定信号（例えば、「ＰＡＴＨ  ＳＷＩＴＣＨ  ＲＥＱＵＥＳＴ」）を受信した場合、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、ハンドオーバ先セルの識別情報と送信失敗通知信号「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ信号とをＬＣＳ-ＡＰ信号により送信する工程とを有することを要旨とする。
【００７７】
本実施形態の第４の特徴は、移動管理用ノードＭＭＥであって、無線基地局ｅＮｏｄｅＢ＃１に対して、測位演算用ノードＥ-ＳＭＬＣからＬＣＳ-ＡＰ信号により受信したＬＰＰ信号及びＥ-ＳＭＬＣの識別情報を含む転送信号「Ｓ１-ＡＰ  Ｄｏｗｎｌｉｎｋ  ＮＡＳ  Ｔｒａｎｓｐｏｒｔ」を送信するように構成されており、無線基地局ｅＮｏｄｅＢ＃１から受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由がハンドオーバ実施中を示す場合、Ｃｅｌｌ-ＩＤ更新待ちタイマーを起動するように構成されており、Ｃｅｌｌ-ＩＤ更新待ちタイマーの満了前に、無線基地局ｅＮｏｄｅＢ＃２からハンドオーバ先セルの識別情報（新Ｃｅｌｌ-ＩＤ）を含む所定信号（例えば、「ＰＡＴＨ  ＳＷＩＴＣＨ  ＲＥＱＵＥＳＴ」）を受信した場合、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、ハンドオーバ先セルの識別情報と送信失敗通知信号「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ信号とをＬＣＳ-ＡＰ信号により送信するように構成されていることを要旨とする。
【００７８】
本実施形態の第５の特徴は、移動通信方法であって、測位演算用ノードＥ-ＳＭＬＣが、移動管理用ノードＭＭＥに対して、ＬＣＳ-ＡＰ信号によりＬＰＰ信号を送信する工程と、移動管理用ノードＭＭＥが、無線基地局ｅＮｏｄｅＢ＃１に対して、ＬＰＰ信号及びＥ-ＳＭＬＣの識別情報を含む転送信号「Ｓ１-ＡＰ  Ｄｏｗｎｌｉｎｋ  ＮＡＳ  Ｔｒａｎｓｐｏｒｔ」を送信する工程と、無線基地局ｅＮｏｄｅＢ＃１が、移動局ＵＥに対するＬＰＰ信号の送信に失敗した場合に、移動管理用ノードＭＭＥに対して、送信失敗理由と送信できなかったＬＰＰ信号とＥ-ＳＭＬＣの識別情報とを含む送信失敗通知信号「Ｓ１-ＡＰ  ＮＯＮ  ＤＥＬＩＶＥＲＹ  ＩＮＤＩＣＡＴＩＯＮ」を送信する工程と、移動管理用ノードＭＭＥが、受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由がハンドオーバ実施中を示す場合、Ｃｅｌｌ-ＩＤ更新待ちタイマーを起動する工程と、移動管理用ノードＭＭＥが、無線基地局ｅＮｏｄｅＢ＃２からハンドオーバ先セルの識別情報を含む所定信号（例えば、「ＰＡＴＨ  ＳＷＩＴＣＨ  ＲＥＱＵＥＳＴ」）を受信する前に、Ｃｅｌｌ-ＩＤ更新待ちタイマーが満了した場合、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、送信失敗通知信号「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ測位信号をＬＣＳ-ＡＰ信号により送信する工程と、移動管理用ノードＭＭＥが、Ｃｅｌｌ-ＩＤ更新待ちタイマーの満了後に、無線基地局ｅＮｏｄｅＢ＃２からハンドオーバ先セルの識別情報（新Ｃｅｌｌ-ＩＤ）を含む所定信号（例えば、「ＰＡＴＨ  ＳＷＩＴＣＨ  ＲＥＱＵＥＳＴ」）を受信した場合、かかるハンドオーバセルの識別情報を測位演算用ノードＥ-ＳＭＬＣに対して通知することなく、保持しているセルの識別情報を更新し、その旨を示す情報「Ｃｅｌｌ  Ｕｐｄａｔｅ  Ｆｌａｇ」を記憶する工程とを有することを要旨とする。
【００７９】
本実施形態の第６の特徴は、移動管理用ノードＭＭＥであって、無線基地局ｅＮｏｄｅＢ＃１に対して、測位演算用ノードＥ-ＳＭＬＣからＬＣＳ-ＡＰ信号により受信したＬＰＰ信号及びＥ-ＳＭＬＣの識別情報を含む転送信号「Ｓ１-ＡＰ  Ｄｏｗｎｌｉｎｋ  ＮＡＳ  Ｔｒａｎｓｐｏｒｔ」を送信するように構成されており、無線基地局ｅＮｏｄｅＢ＃１から受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由がハンドオーバ実施中を示す場合、Ｃｅｌｌ-ＩＤ更新待ちタイマーを起動するように構成されており、無線基地局ｅＮｏｄｅＢ＃２からハンドオーバ先セルの識別情報（新Ｃｅｌｌ-ＩＤ）を含む所定信号（例えば、「ＰＡＴＨ  ＳＷＩＴＣＨ  ＲＥＱＵＥＳＴ」）を受信する前に、Ｃｅｌｌ-ＩＤ更新待ちタイマーが満了した場合、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、送信失敗通知信号「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ信号をＬＣＳ-ＡＰ信号により送信するように構成されており、Ｃｅｌｌ-ＩＤ更新待ちタイマーの満了後に、無線基地局ｅＮｏｄｅＢ＃２からハンドオーバ先セルの識別情報（新Ｃｅｌｌ-ＩＤ）を含む所定信号（例えば、「ＰＡＴＨ  ＳＷＩＴＣＨ  ＲＥＱＵＥＳＴ」）を受信した場合、かかるハンドオーバセルの識別情報を測位演算用ノードＥ-ＳＭＬＣに対して通知することなく、保持しているセルの識別情報を更新し、その旨を示す情報「Ｃｅｌｌ  Ｕｐｄａｔｅ  Ｆｌａｇ」を記憶するように構成されていることを要旨とする。
【００８０】
本実施形態の第７の特徴は、移動通信方法であって、測位演算用ノードＥ-ＳＭＬＣが、移動管理用ノードＭＭＥに対して、ＬＣＳ-ＡＰ信号によりＬＰＰ信号を送信する工程と、移動管理用ノードＭＭＥが、無線基地局ｅＮｏｄｅＢ＃１に対して、ＬＰＰ信号及びＥ-ＳＭＬＣの識別情報を含む転送信号「Ｓ１-ＡＰ  Ｄｏｗｎｌｉｎｋ  ＮＡＳ  Ｔｒａｎｓｐｏｒｔ」を送信する工程と、無線基地局ｅＮｏｄｅＢ＃１が、移動局ＵＥに対するＬＰＰ信号の送信に失敗した場合に、移動管理用ノードＭＭＥに対して、送信失敗理由とＬＰＰ信号とＥ-ＳＭＬＣの識別情報と送信できなかったＬＰＰ信号を含む送信失敗通知信号「Ｓ１-ＡＰ  ＮＯＮ  ＤＥＬＩＶＥＲＹ  ＩＮＤＩＣＡＴＩＯＮ」を送信する工程と、移動管理用ノードＭＭＥが、受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由がハンドオーバ実施中を示す場合、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、送信失敗通知信号「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ信号をＬＣＳ-ＡＰ信号により送信する工程と、測位演算用ノードＥ-ＳＭＬＣが、移動管理用ノードＭＭＥから送信失敗理由及び送信できなかったＬＰＰ信号含むＬＣＳ-ＡＰ信号を受信した場合に、Ｃｅｌｌ-ＩＤ更新待ちタイマー（所定タイマー）を起動する工程と、測位演算用ノードＥ-ＳＭＬＣが、Ｃｅｌｌ-ＩＤ更新待ちタイマーの満了前に、無線基地局ｅＮｏｄｅＢ＃２から移動管理用ノードＭＭＥ経由でハンドオーバ先セルの識別情報（新Ｃｅｌｌ-ＩＤ）を含むＬＣＳ-ＡＰ信号を受信した場合、移動管理用ノードＭＭＥに対して、かかるハンドオーバ先セルの識別情報に対応するＬＰＰ測位信号を送信する工程とを有することを要旨とする。
【００８１】
本実施形態の第８の特徴は、測位演算用ノードＥ-ＳＭＬＣであって、移動管理用ノードＭＭＥに対して、ＬＣＳ-ＡＰ信号によりＬＰＰ信号を送信するように構成されており、無線基地局ｅＮｏｄｅＢ＃１が移動局ＵＥに対するＬＰＰ信号の送信に失敗した場合に移動管理用ノードＭＭＥに対して送信する送信失敗通知信号「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ信号を、移動管理用ノードＭＭＥから受信した場合に、Ｃｅｌｌ-ＩＤ更新待ちタイマーを起動するように構成されており、Ｃｅｌｌ-ＩＤ更新待ちタイマーの満了前に、無線基地局ｅＮｏｄｅＢ＃２から移動管理用ノードＭＭＥ経由でハンドオーバ先セルの識別情報（新Ｃｅｌｌ-ＩＤ）を含むＬＣＳ-ＡＰ信号を受信した場合、移動管理用ノードＭＭＥに対して、かかるハンドオーバ先セルの識別情報に対応するＬＰＰ信号を送信するように構成されていることを要旨とする。
【００８２】
本実施形態の第９の特徴は、移動通信方法であって、測位演算用ノードＥ-ＳＭＬＣが、移動管理用ノードＭＭＥに対して、ＬＣＳ-ＡＰ信号によりＬＰＰ信号を送信する工程と、移動管理用ノードＭＭＥが、無線基地局ｅＮｏｄｅＢ＃１に対して、ＬＰＰ信号及びＥ-ＳＭＬＣの識別情報を含む転送信号「Ｓ１-ＡＰ  Ｄｏｗｎｌｉｎｋ  ＮＡＳ  Ｔｒａｎｓｐｏｒｔ」を送信する工程と、無線基地局ｅＮｏｄｅＢ＃１が、移動局ＵＥに対するＬＰＰ信号の送信に失敗した場合に、移動管理用ノードＭＭＥに対して、送信失敗理由とＬＰＰ信号とＥ-ＳＭＬＣの識別情報とを含む送信失敗通知信号「Ｓ１-ＡＰ  ＮＯＮ  ＤＥＬＩＶＥＲＹ  ＩＮＤＩＣＡＴＩＯＮ」を送信する工程と、移動管理用ノードＭＭＥが、受信した送信失敗通知信号「Ｓ１-ＡＰ  ＮＯＮ  ＤＥＬＩＶＥＲＹ  ＩＮＤＩＣＡＴＩＯＮ」に含まれる送信失敗理由がハンドオーバ実施中を示す場合、送信失敗通知信号「Ｓ１-ＡＰ  ＮＯＮ  ＤＥＬＩＶＥＲＹ  ＩＮＤＩＣＡＴＩＯＮ」に含まれるＥ-ＳＭＬＣの識別情報によって特定される測位演算用ノードＥ-ＳＭＬＣに対して、送信失敗通知信号「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ信号を含むＬＣＳ-ＡＰ信号を送信する工程と、測位演算用ノードＥ-ＳＭＬＣが、移動管理用ノードＭＭＥから送信失敗理由及び測位信号を含むＬＣＳ-ＡＰ信号を受信した場合に、移動局ＵＥに対して、ハンドオーバ先のセルの識別情報（新ＣＥｌｌ-ＩＤ）の通知を要求する通知要求を送信する工程とを有することを要旨とする。
【００８３】
本実施形態の第１０の特徴は、測位演算用ノードＥ-ＳＭＬＣであって、移動管理用ノードＭＭＥに対して、ＬＣＳ-ＡＰ信号によりＬＰＰ信号を送信するように構成されており、無線基地局ｅＮｏｄｅＢ＃１が移動局ＵＥに対するＬＰＰ信号の送信に失敗した場合に移動管理用ノードＭＭＥに対して送信する送信失敗通知信号「Ｓ１-ＡＰ  ＮＯＮ  ＤＥＬＩＶＥＲＹ  ＩＮＤＩＣＡＴＩＯＮ」に含まれる送信失敗理由及び送信できなかったＬＰＰ信号を、移動管理用ノードＭＭＥから受信した場合に、移動局ＵＥに対して、ハンドオーバ先のセルの識別情報（新Ｃｅｌｌ-ＩＤ）の通知を要求する通知要求を送信するように構成されていることを要旨とする。
【００８４】
本実施形態の第１１の特徴は、移動局ＵＥであって、無線基地局ｅＮｏｄｅＢ＃１配下の第１セルから無線基地局ｅＮｏｄｅＢ＃２配下の第２セルへのハンドオーバを検知した場合で、かつ、測位演算用ノードＥ-ＳＭＬＣからハンドオーバ先のセルの識別情報（新Ｃｅｌｌ-ＩＤ）の通知を要求する通知要求を受信した場合に、測位演算用ノードＥ-ＳＭＬＣに対して、第２セルの識別情報（新Ｃｅｌｌ-ＩＤ）を通知するように構成されていることを要旨とする。
【００８５】
なお、移動局ＵＥは、位置情報サービスを実施している間の無線基地局ｅＮｏｄｅＢ＃１配下の第１セルから無線基地局ｅＮｏｄｅＢ＃２配下の第２セルへのハンドオーバを検知した場合、常に測位演算用ノードＥ-ＳＭＬＣに対して、第２セルの識別情報（新Ｃｅｌｌ-ＩＤ）を通知するように構成されていてもよい。
【００８６】
なお、上述の移動局ＵＥ、無線基地局ｅＮｏｄｅＢ、移動管理用ノードＭＭＥ及び測位演算用ノードＥ-ＳＭＬＣの動作は、ハードウェアによって実施されてもよいし、プロセッサによって実行されるソフトウェアモジュールによって実施されてもよいし、両者の組み合わせによって実施されてもよい。
【００８７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ、無線基地局ｅＮｏｄｅＢ、移動管理用ノードＭＭＥ及び測位演算用ノードＥ-ＳＭＬＣ内に設けられていてもよい。また、かかる記憶媒体及びプロセッサは、ディスクリートコンポーネントとして移動局ＵＥ、無線基地局ｅＮｏｄｅＢ、移動管理用ノードＭＭＥ及び測位演算用ノードＥ-ＳＭＬＣ内に設けられていてもよい。
【００８９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９０】
ＵＥ…移動局
ｅＮｏｄｅＢ…無線基地局
ＭＭＥ…移動管理用ノード
Ｅ-ＳＭＬＣ…測位演算用ノード
【図１】
2011082838.tif 000003
【図２】
2011082838.tif 000004
【図３】
2011082838.tif 000005
【図４】
2011082838.tif 000006
【図５】
2011082838.tif 000007
【図６】
2011082838.tif 000008
【図７】
2011082838.tif 000009
【図８】
2011082838.tif 000010